(57)【要約】【課題】メディアへの書き込み内容を把握することができるラベル印刷を好適に行い得る印刷方法を提供する。【解決手段】メディアに画像ファイルを書き込む第１のステップ（Ｓ１００）と、第１のステップで書き込まれた画像ファイルをメディアから１以上取得し、該取得した画像ファイルに基づく画像をラベル面に印刷する第２のステップ（Ｓ１１０〜Ｓ２３０）とを備えた。【選択図】      図３
2006272789.tif 000002
【特許請求の範囲】
【請求項１】
メディアのラベル面に印刷可能な印刷装置であって、
前記メディアに画像ファイルを書き込む書込手段と、
前記書込手段により書き込まれた画像ファイルを１以上取得し、該取得した画像ファイルに基づく画像を前記ラベル面に印刷するラベル印刷手段と、
を備えることを特徴とする印刷装置。
【請求項２】
前記画像ファイルは、ディレクトリ毎に分類されて前記メディアに書き込まれ、
前記ラベル印刷手段は、前記ディレクトリの先頭に書き込まれた画像ファイルを取得して印刷を行う、
請求項１記載の印刷装置。
【請求項３】
前記画像ファイルは、ディレクトリ毎に分類されて前記メディアに書き込まれ、
前記ラベル印刷手段は、前記ディレクトリに書き込まれた画像ファイルのうちユーザにより予め指定されている画像ファイルを取得して印刷を行う、
請求項１記載の印刷装置。
【請求項４】
前記ラベル印刷手段は、前記ラベル面の全領域を印刷領域に設定して印刷を行う第１の印刷モードと、前記ラベル面を所定の領域に分割し、同一メディアへの前記画像ファイルの書き込み毎に前記ラベル面上の印刷領域を順次変更して印刷を行う第２の印刷モードとのうちいずれかを選択して印刷を行う、
請求項１乃至３のいずれか一項記載の印刷装置。
【請求項５】
前記メディアをセットする印刷用トレイを備え、
前記ラベル印刷手段は、前記印刷用トレイに対する前記メディアのセット位置を位置決めするための位置決めマークを前記第２の印刷モードにおける初回印刷時に前記ラベル面に印刷する、
請求項４記載の印刷装置。
【請求項６】
前記ラベル印刷手段は、前記第２の印刷モードでは、前記ラベル面を周方向に２以上の領域に分割し、前記画像ファイルの書き込み毎に前記印刷領域を互いに異なる領域に設定して印刷を行う、
請求項４又は５記載の印刷装置。
【請求項７】
前記ラベル印刷手段は、前記第２の印刷モードでは、前記メディアの記憶領域に対する書き込み領域の割合に応じて前記ラベル面を分割した領域を前記印刷領域に設定して印刷を行う、
請求項４又は５記載の印刷装置。
【請求項８】
前記ラベル印刷手段は、前記画像ファイルの作成日時、及び／又は、前記画像ファイルの前記メディアへの書込日時をさらに前記ラベル面に印刷する、
請求項１乃至７のいずれか一項記載の印刷装置。
【請求項９】
テキスト表示可能な表示手段を備え、
前記ラベル印刷手段は、前記書込手段による書き込み動作の終了後に、前記ラベル面への印刷を引き続き行うか否かを前記表示手段を通じてユーザに問い合わせる、
請求項１乃至８のいずれか一項記載の印刷装置。
【請求項１０】
メディアに保存した内容をラベル面に印刷するメディアへの印刷方法であって、
前記メディアに画像ファイルを書き込む第１のステップと、
前記第１のステップで書き込まれた画像ファイルを前記メディアから１以上取得し、該取得した画像ファイルに基づく画像を前記ラベル面に印刷する第２のステップと、
を備えることを特徴とするメディアへの印刷方法。
【請求項１１】
印刷装置により実行され、メディアに保存した内容をラベル面に印刷するためのプログラムであって、
前記印刷装置が、
前記メディアに画像ファイルを書き込む第１のステップと、
前記第１のステップで書き込まれた画像ファイルを前記メディアから１以上取得し、該取得した画像ファイルに基づく画像を前記ラベル面に印刷する第２のステップと、
を実行するためのプログラム。
【請求項１２】
請求項１１記載のプログラムを記憶した記憶媒体。
【発明の詳細な説明】
【技術分野】
【０００１】
この発明は、メディアのラベル面への印刷が可能な印刷装置、メディアへの印刷方法、プログラム及び記憶媒体に関する。
【背景技術】
【０００２】
（ドライブ内蔵が）
従来、ＣＤ-ＲやＤＶＤ-Ｒ等のメディアに直接印刷可能なプリンタ（印刷装置）が種々開発されている。この種のプリンタでは、メディアを載置したトレイをプリンタにセットし、印刷したい文字や画像に関してそれらのメディア上での位置、大きさ等を適宜調整して印刷を行うことにより、メディアのラベル面に任意の文字や画像を印刷（以下、ラベル印刷という）することができる。
【０００３】
通常、このようなラベル印刷の多くは、メディアに対して書き込んだ内容を把握するために、その書き込み内容についてラベル面に印刷するといった用途で利用される。特に、ＤＶＤ等の様な記憶容量の大きなメディアに大量の画像ファイルをバックアップした場合には、該バックアップした画像ファイルの種類が後で分からなくなってしまうといったことが往々にして起こり得る。こうした事態を回避するために、ラベル印刷では、例えば、メディアへのバックアップ日時や画像ファイルのファイル名等をラベル面に印刷することが従来より行われている。
【発明の開示】
【発明が解決しようとする課題】
【０００４】
しかしながら、従来では、メディアに書き込んだ内容をラベル面に印刷する場合には、その書き込み内容についてラベル面に印刷するデータをユーザが手作業で作成しなければならないため、時間と手間がかかり、非常に面倒であった。
【０００５】
この発明は、こうした従来の実情に鑑みてなされたものであり、その目的は、メディアへの書き込み内容を把握することができるラベル印刷を好適に行い得る印刷装置、メディアへの印刷方法、プログラム及び記憶媒体を提供することにある。
【課題を解決するための手段】
【０００６】
上記の目的を達成するため、この発明の第１の態様は、メディアのラベル面に印刷可能な印刷装置であって、前記メディアに画像ファイルを書き込む書込手段と、前記書込手段により書き込まれた画像ファイルを１以上取得し、該取得した画像ファイルに基づく画像を前記ラベル面に印刷するラベル印刷手段と、を備えることを要旨とする。
【０００７】
この構成によれば、メディアに書き込まれた画像ファイルの画像が１以上にてラベル面に印刷されることにより、ユーザは、画像ファイルの書き込み後に、その書き込み内容についてラベル面に印刷するデータを手作業で作成せずともよい。これにより、メディアへの書き込み内容を把握することができるラベル印刷を好適に行うことができる。
【０００８】
上記構成の印刷装置においては、前記画像ファイルは、ディレクトリ毎に分類されて前記メディアに書き込まれ、前記ラベル印刷手段は、前記ディレクトリの先頭に書き込まれた画像ファイルを取得して印刷を行う、といった構成を採用することができる。
【０００９】
この構成によれば、画像ファイルの書き込み後、ラベル面には、ディレクトリの先頭に書き込まれた画像ファイルに基づく画像が自動で印刷される。
上記構成の印刷装置においては、前記画像ファイルは、ディレクトリ毎に分類されて前記メディアに書き込まれ、前記ラベル印刷手段は、前記ディレクトリに書き込まれた画像ファイルのうち、ユーザにより指定された画像ファイルを取得して印刷を行う、といった構成を採用することができる。
【００１０】
この構成によれば、画像ファイルの書き込み後、ラベル面には、ユーザが書き込み時において予め指定しておいた画像ファイルに基づく画像が自動で印刷される。
上記構成の印刷装置においては、前記ラベル印刷手段は、前記ラベル面の全領域を印刷領域に設定して印刷を行う第１の印刷モードと、前記ラベル面を所定の領域に分割し、同一メディアへの前記画像ファイルの書き込み毎に前記ラベル面上の印刷領域を順次変更して印刷を行う第２の印刷モードとのうちいずれかを選択して印刷を行う、といった構成を採用することができる。
【００１１】
この構成によれば、第１の印刷モードでは、書き込み内容に関する画像をラベル面の全面を利用して印刷することができる。また、第２の印刷モードでは、同一メディアに対する複数回の書き込み内容にそれぞれ対応した画像を、ラベル面上の異なる領域に印刷することができる。
【００１２】
上記構成の印刷装置においては、前記メディアをセットする印刷用トレイを備え、前記ラベル印刷手段は、前記印刷用トレイに対する前記メディアのセット位置を位置決めするための位置決めマークを前記第２の印刷モードにおける初回印刷時に前記ラベル面に印刷する、といった構成を採用することができる。
【００１３】
この構成によれば、第２の印刷モードにおける２回目以降の印刷時には、位置決めマークに基づいて、印刷用トレイに対するメディアのセット位置を位置決めしてラベル印刷を行うことができる。
【００１４】
上記構成の印刷装置においては、前記ラベル印刷手段は、前記第２の印刷モードでは、前記ラベル面を周方向に２以上の領域に分割し、前記画像ファイルの書き込み毎に、前記印刷領域を互いに異なる領域に設定して印刷を行う、といった構成を採用することができる。
【００１５】
この構成によれば、ラベル面には、画像ファイルの書き込み毎に、それぞれに対応した画像を周方向の互いに異なる印刷領域に印刷することができる。
上記構成の印刷装置においては、前記ラベル印刷手段は、前記第２の印刷モードでは、前記メディアの記憶領域に対する書き込み領域の割合に応じて前記ラベル面を分割した領域を前記印刷領域に設定して印刷を行う、といった構成を採用することができる。
【００１６】
この構成によれば、ラベル面における印刷エリアから、メディアの記憶領域に対する書き込み領域の割合を知ることができる。
上記構成の印刷装置においては、前記ラベル印刷手段は、前記画像ファイルの作成日時、及び／又は、前記画像ファイルの前記メディアへの書込日時を更に前記ラベル面に印刷する、といった構成を採用することができる。
【００１７】
この構成によれば、ラベル面には、メディアに書き込まれた画像ファイルの画像とともに、画像ファイルの作成日時、及び／又は、画像ファイルの書込日時が印刷されるため、保存内容をより好適に把握することが可能となる。
【００１８】
上記構成の印刷装置においては、テキスト表示可能な表示手段を備え、前記ラベル印刷手段は、前記書込手段による書き込み動作の終了後に、前記ラベル面への印刷を引き続き行うか否かを前記表示手段を通じてユーザに問い合わせる、といった構成を採用することができる。
【００１９】
この構成によれば、書き込み終了後に、引き続きラベル印刷の実施をユーザに促すことができる。
この発明の第２の態様は、メディアに保存した内容をラベル面に印刷するメディアへの印刷方法であって、前記メディアに画像ファイルを書き込む第１のステップと、前記第１のステップで書き込まれた画像ファイルを前記メディアから１以上取得し、取得した画像ファイルに基づく画像を前記ラベル面に印刷する第２のステップと、を備えることを要旨とする。この方法によれば、上述した第１の態様と同様な作用効果を奏するものとなる。
【００２０】
この発明の第３の態様は、印刷装置により実行され、メディアに保存した内容をラベル面に印刷するためのプログラムであって、前記印刷装置が、前記メディアに画像ファイルを書き込む第１のステップと、前記第１のステップで書き込まれた画像ファイルを前記メディアから１以上取得し、該取得した画像ファイルに基づく画像を前記ラベル面に印刷する第２のステップと、を実行するためのプログラムであることを要旨とする。このプログラムによれば、上述した第１の態様と同様な作用効果を奏するものとなる。
【００２１】
この発明の第４の態様は、上記第３の態様に記載のプログラムを記憶した記憶媒体であることを要旨とする。この記憶媒体により提供されるプログラムによれば、上述した第１の態様と同様な作用効果を奏するものとなる。
【発明を実施するための最良の形態】
【００２２】
以下、この発明を具体化した一実施の形態を図面にしたがって説明する。
図１は、本実施の形態に係る印刷装置１を示す斜視図である。この印刷装置１は、一台で、スキャナ、プリンタ、コピーの３つの機能を備えるインクジェット式複合型カラープリンタである。印刷装置１は、原稿の画像を読み取って画像データとして入力するスキャナ部２と、印刷データに基づく画像を所定の媒体に印刷するプリンタ部３と、操作パネル部４とを備えている。コピー機能は、スキャナ部２で読み取った画像データをプリンタ部３で印刷データに変換し、その印刷データに基づく画像を同プリンタ部３で印刷することにより実現される。
【００２３】
スキャナ部２はプリンタ部３の上に配置され、スキャナ部２の上には、原稿を載置するための原稿台ガラス５と、該原稿台ガラス５を覆う原稿台カバー６とが設けられている。原稿台カバー６は、スキャナ部２に開閉可能に設けられている。
【００２４】
印刷装置１の背面上部には、プリンタ部３に用紙Ｐ（媒体）を給紙するための給紙部７が設けられている。印刷装置１の前面下部には、プリンタ部３により印刷された用紙Ｐを排出するための排紙部８が設けられている。操作パネル部４は、排紙部８の上部に設けられている。
【００２５】
操作パネル部４は、ユーザが操作するための操作部１１と、表示手段として各種表示を行うための表示部１２とを備えている。表示部１２には、ディスプレイ１３（例えば液晶ディスプレイ）が設けられ、このディスプレイ１３には、メニュー画面や、各種モードにおける設定状態、動作状態などが文字（テキスト）にて表示される。このディスプレイ１３に、画像を表示することもできる。
【００２６】
操作部１１には、ユーザが各種操作を行うための操作ボタンが設けられている。例えば、この操作ボタンとしては、電源を投入／遮断するための電源ボタン１４や、印刷処理、コピー処理を開始するための開始ボタン１５等の他、各種メニューを選択するためのボタン等も設けられている。
【００２７】
印刷装置１の前面において、排紙部８の右側にはカードスロット２１が設けられている。カードスロット２１は、例えばＰＣＭＣＩＡ規格に準拠しており、このカードスロット２１には、当該規格に準拠したメモリカード２２が挿抜可能にセットされる。メモリカード２２は、書き換え可能な不揮発性のメモリを内蔵しており、これには、例えば図示しないデジタルカメラ等により撮影された画像ファイルが保存されている。
【００２８】
また、印刷装置１の前面において、カードスロット２１の上側にはＵＳＢポート２３，２４が設けられている。ＵＳＢポート２３には、例えばデジタルカメラや外部記憶装置などの外部装置２５（図２）が図示しないＵＳＢケーブルを介して接続される。印刷装置１は、この外部装置２５から画像データを直接読み込んで印刷を行うこともできる。ＵＳＢポート２４には、ホスト装置としての例えばパーソナルコンピュータ２６（図２にＰＣにて示す）が図示しないＵＳＢケーブルを介して接続される。印刷装置１は、そのＰＣ２６により作成された印刷データに基づいて印刷を行うこともできる。
【００２９】
この印刷装置１は、メディアＭの表側表面であるラベル面Ｍａ（図４）に任意の画像や文字をレイアウトして印刷（以下、ラベル印刷という）を行うこともできる。具体的には、印刷装置１と別部品の印刷用トレイ２７を用意し、その印刷用トレイ２７の穴部２７ａにメディアＭを載置する。そして、この印刷用トレイ２７を印刷装置１にセットしてメニューボタンによりラベル印刷モードを選択するとともに、開始ボタン１５を押して印刷を開始することにより、メディアＭのラベル面Ｍａに印刷が実行される。
【００３０】
図２は、印刷装置１の電気的構成を示すブロック図である。なお、図１と同一構成部分には同一符号を付す。
印刷装置１は、中央制御部３１、ＲＯＭ３２、ＲＡＭ３３、印刷エンジン３４、スキャナ処理部３５、ドライブ装置３６、ＵＳＢデバイス制御部３７、カードインターフェース３８、操作パネル制御部３９、ＵＳＢホスト制御部４０、電源回路４２を有し、それらはバス４３を介して相互に接続されている。
【００３１】
電源回路４２は、印刷装置１に電源を供給する回路である。中央制御部３１は、ＲＯＭ３２に記憶されたプログラムやデータに基づき、ＲＡＭ３３をワークメモリとして利用しながら各種処理を制御することにより、印刷装置１の動作を統括的に制御する。例えば、中央制御部３１は、ユーザにより操作部１１を通じてなされた操作ボタンの操作にしたがって、その操作に対応したプログラムを実行することにより、印刷装置１によるコピー、プリンタ、スキャナ等の各種の機能を実現する。
【００３２】
なお、本実施の形態において、印刷装置１を書込手段として機能させ、中央制御部３１によりドライブ装置３６を駆動して画像ファイル等をメディアＭに対して書き込むためのプログラム、印刷装置１をラベル印刷手段として機能させ、画像ファイルの書き込み処理に連係して後述するラベル印刷処理を行うためのプログラム、及び、それら各プログラムの実行に必要なデータはＲＯＭ３２に記憶されている。これらのプログラムやデータは、記憶媒体（通信媒体を介してアップロード又はダウンロードされたプログラム及びデータを記録した媒体を含む）により提供される。
【００３３】
印刷エンジン３４は、印刷データに基づいて図示しない印刷ヘッドを駆動することにより所定の媒体に対する印刷処理を実行する。スキャナ処理部３５は、スキャナ部２により光学的に読み取られた原稿の画像データに対して、公知のライン間補正処理や解像度変換処理等を施すことによりスキャン処理を実行する。
【００３４】
ドライブ装置３６は、ＣＤ-ＲやＤＶＤ-Ｒ等の光ディスク媒体を駆動するドライブ装置であって、ドライブトレイ（図示略）に挿入されたメディアＭに対して画像ファイル等のデータの書き込み／読み出しを行う。なお、上述したプログラム等を、このドライブ装置３６を通じて印刷装置１にインストールすることもできる。
【００３５】
ＵＳＢデバイス制御部３７は、ＵＳＢポート２４に接続されたＰＣ２６との間でＵＳＢインターフェース規格に従ったデータ通信処理を制御する。カードインターフェース３８は、カードスロット２１にセットされたメモリカード２２との間でＰＣＭＣＩＡインターフェース規格に従ったデータ通信処理を制御する。
【００３６】
操作パネル制御部３９は、ユーザにより操作部１１（操作パネル部４）を通じてなされた操作ボタンの操作に対応する操作信号を中央制御部３１に出力する。中央制御部３１は、この操作信号を受けて、それに対応する処理を行う。また、操作パネル制御部３９は、中央制御部３１から出力された制御信号に基づいて、それに対応する画面を表示部１２（操作パネル部４）に表示させる。
【００３７】
ＵＳＢホスト制御部４０は、ＵＳＢポート２３に外部装置２５が接続されると、接続された外部装置２５をＵＳＢデバイスとして認識し、自身（印刷装置１）をＵＳＢホストとして、同認識した外部装置２５との間でＵＳＢインターフェース規格に従ったデータ通信通信を制御する。
【００３８】
次に、上記印刷装置１によるラベル印刷処理を図３を参照して説明する。
本実施の形態におけるラベル印刷処理は、ユーザにより指定された画像ファイルを印刷装置１によりメディアＭに書き込んだ後、その書き込み内容（保存内容）をメディアＭのラベル面Ｍａに印刷するものである。
【００３９】
即ち、図３に示すように、まず、ステップＳ１００において、印刷装置１は、ユーザにより指定された画像ファイルをドライブ装置３６にセットされたメディアＭに書き込む。ここでの書き込み処理としては、例えばメモリカード２２に記憶されている画像ファイルをメディアＭへバックアップするといった処理などが該当する。
【００４０】
この書き込み処理について詳述すると、図４に示すように、印刷装置１は、メディアＭへ書き込みを行う画像ファイルをディレクトリ毎に分類して書き込む。例えば、印刷装置１は、メディアＭ内に、第１ディレクトリ５１と第２ディレクトリ５２とを作成し、第１ディレクトリ５１に画像ファイル５１ａ，５１ｂ，５１ｃ、第２ディレクトリ５２に画像ファイル５２ａ，５２ｂ，５２ｃをそれぞれ書き込む。なお、各ディレクトリ５１，５２に格納される画像ファイル５１ａ，５１ｂ，５１ｃ，５２ａ，５２ｂ，５２ｃは、それぞれ日付情報としてファイル作成日時（画像の撮影日時）等の情報を有している（例えば、画像ファイル５１ａは２００５年４月１０日に作成されたファイルであることを示す）。
【００４１】
また、図５に示すように、印刷装置１は、上記画像ファイル５１ａ，５１ｂ，５１ｃ，５２ａ，５２ｂ，５２ｃの書き込み時に、メディアＭ内にメタファイル５３を作成する。このメタファイル５３は、ディレクトリの名称５４とディレクトリ情報５５とを有してなるテキスト形式にて記述されたファイルである。
【００４２】
ディレクトリ情報５５は、各ディレクトリを特徴付ける情報であり、代表ファイル情報５６を有している。このディレクトリ情報５５は、ディレクトリ５１，５２毎に設定されており、各ディレクトリ５１，５２の名称５４ａ，５４ｂに対応してメタファイル５３に記述されている。即ち、ディレクトリ情報５５ａ，５５ｂは、メタファイル５３により、各々のディレクトリ５１，５２と関連付けられている。
【００４３】
代表ファイル情報５６は、各ディレクトリに格納されている画像ファイルを特定（代表）する情報である。この代表ファイル情報５６は、ディレクトリ５１，５２毎に設定されており、画像ファイルの名称にて記述されている。例えば、第１ディレクトリ５１に対応する代表ファイル情報５６ａには、同第１ディレクトリ５１に格納されている画像ファイル５１ａの名称が記述されている。また、第２ディレクトリ５２に対応する代表ファイル情報５６ｂには、同第２ディレクトリ５２に格納されている画像ファイル５２ｂの名称が記述されている。これら代表ファイル情報５６ａ，５６ｂとして示されている画像ファイル５１ａ，５２ｂが各ディレクトリ５１，５２に格納されている画像ファイルを代表する代表画像ファイルとなる。
【００４４】
このような代表画像ファイル（代表ファイル情報５６ａ，５６ｂ）は、画像ファイルの書き込み時に、ユーザにより代表画像ファイルとするべく指定されたファイルが設定される。なお、各ディレクトリにおいて代表画像ファイルとするファイルがユーザにより指定されなかった場合には、それぞれディレクトリの先頭に書き込まれているファイルが代表画像ファイルとして設定される。即ち、代表ファイル情報５６ａ，５６ｂには、ユーザにより指定されたファイル、もしくは、ディレクトリの先頭に書き込まれているファイルが代表画像ファイルとして設定される。なお、本実施の形態においては、代表ファイル情報５６ａ，５６ｂとして設定する代表画像ファイルを１つとしたが、複数のファイルとしてもよい。以上の処理が上記ステップＳ１００において実行される。
【００４５】
次にステップＳ１１０において、印刷装置１は、書き込み処理に続いて、ラベル印刷を実施するか否かをユーザに問い合わせる。これは、具体的にはディスプレイ１３（表示部１２）上にその旨を通知し、それに対するボタン操作をユーザに促すことによって行う。
【００４６】
ここで、ラベル印刷を実施しない旨のボタン操作がユーザによりなされた場合（ステップＳ１１０：ＮＯ）には、印刷装置１は、ラベル印刷を実行せずに処理を終了する。一方、ラベル印刷を実施する旨のボタン操作がユーザによりなされた場合（ステップＳ１１０：ＹＥＳ）には、印刷装置１は、次にステップＳ１２０において、ラベル印刷を代表画像印刷モードと全面印刷モードとのうちいずれの印刷モードで実施するかをユーザに問い合わせる。これは、具体的にはディスプレイ１３（表示部１２）上にその旨を通知し、それに対するボタン操作をユーザに促すことによって行う。
【００４７】
ここで、代表画像印刷モードを実施する旨のボタン操作がユーザによりなされた場合には、印刷装置１は、ステップＳ１３０に移行する。一方、全面印刷モードを実施する旨のボタン操作がユーザによりなされた場合には、印刷装置１は、ステップＳ２００に移行する。以下、これらの各モードについて説明する。
【００４８】
［代表画像印刷モード］
代表画像印刷モードは、ラベル面Ｍａを所定の領域に分割し、メディアＭに対する画像ファイルの書き込み動作毎に、ラベル面Ｍａ上にて画像を印刷する印刷領域を順次変更しながら印刷を行うモードである。
【００４９】
上記ステップＳ１２０において代表画像印刷モードが選択された場合、印刷装置１は、まずステップＳ１３０において、メディアＭからそれに書き込まれている画像ファイルの内容を取得する。
【００５０】
具体的には、まずステップＳ１３０ａにおいて代表画像ファイルを取得する。この代表画像ファイルは、メタファイル５３（図５）から代表ファイル情報４７を読み出すことによって取得することができる。これにより、ラベル印刷する代表画像として、ディレクトリの先頭に書き込まれている画像ファイル、及び／又は、書き込み時にユーザにより予め指定された画像ファイルの画像が１以上取得される。
【００５１】
次にステップＳ１３０ｂにおいて、日付情報を取得する。なお、ここでは日付情報として代表画像ファイルの作成日時（ファイル作成日時）を取得するが、これに限定されず、画像ファイルの書き込み日時（例えばバックアップ日時）を日付情報として取得するようにしてもよい。
【００５２】
次にステップＳ１４０において、印刷装置１は、ドライブ装置３６から印刷用トレイ２７へのメディアＭの移動をユーザに促す。これは、具体的にはディスプレイ１３（表示部１２）上にその旨を通知することによって行う。
【００５３】
次にステップＳ１５０において、印刷装置１は、印刷（ラベル印刷）を開始するボタン操作がユーザによりなされたか否かを判断する。
ここで、ユーザによりラベル印刷を開始するボタン操作がなされたと判断すると、印刷装置１は、次にステップＳ１６０において、当該メディアＭに対するラベル印刷が初回であるか否か、即ち、初回書き込み動作に対応するラベル印刷であるか否かを判断する。これは、例えば、ラベル印刷の開始にあたってユーザにより予め設定された印刷条件に基づいて判断する。
【００５４】
ここで、初回印刷であると判断した場合（ステップＳ１６０：ＹＥＳ）には、印刷装置１は、次にステップＳ１７０において、上記代表画像ファイルに基づく画像を日付情報（ファイル作成日時）とともにラベル面Ｍａ上の所定の印刷領域に印刷する。さらに、このとき、印刷装置１は、印刷用トレイ２７に対するメディアＭのセット位置を位置決めするための位置決めマークＡＭをラベル面Ｍａ上の所定の位置に印刷する。なお、印刷領域の設定方法、及び、位置決めマークＡＭについては、図６及び図７により後述する。
【００５５】
一方、初回印刷でない（即ち２回目以降の印刷である）と判断した場合（ステップＳ１６０：ＮＯ）には、印刷装置１は、ステップＳ１８０において、上記代表画像ファイルに基づく画像を日付情報（ファイル作成日時）とともにラベル面Ｍａ上の所定の印刷領域に印刷する。即ち、この場合には位置決めマークＡＭを印刷しない。
【００５６】
［全面印刷モード］
全面印刷モードは、ラベル面Ｍａの全領域を印刷領域に設定して印刷を行うモードである。
【００５７】
上記ステップＳ１２０において全面印刷モードが選択された場合、印刷装置１は、まずステップＳ２００において、メディアＭからそれに書き込まれている画像ファイルの内容を取得する。
【００５８】
具体的には、まずステップＳ２００ａにおいて、ラベル面Ｍａの全領域（全面）に印刷可能な枚数分にてメディアＭから画像ファイルを取得する。画像ファイルの取得方法としては、例えば、全面印刷モードにおいてラベル面Ｍａに印刷する画像枚数を予め設定しておき、それを上限枚数として先頭ディレクトリから順次各ディレクトリに設定されている上記代表画像ファイルを取得するといった方法を採用することができる。なお、上記印刷画像枚数の設定に際しては、印刷画像を適宜拡大・縮小・回転等することにより、ラベル面Ｍａに対するレイアウトを任意に行って設定することができる。
【００５９】
次にステップＳ２００ｂにおいて、日付情報を取得する。なお、上記代表画像印刷モードの場合と同様、この場合の日付情報としては、画像ファイルの作成日時（ファイル作成日時）に限らず、画像ファイルの書き込み日時（例えばバックアップ日時）であってもよい。
【００６０】
次にステップＳ２１０において、印刷装置１は、ドライブ装置３６から印刷用トレイ２７へのメディアＭの移動をユーザに促す。これは、上記代表画像印刷モードの場合と同様、ディスプレイ１３（表示部１２）上にその旨を通知することによって行う。
【００６１】
次にステップＳ２２０において、印刷装置１は、印刷（ラベル印刷）を開始するボタン操作がユーザによりなされたか否かを判断する。
ここで、ユーザによりラベル印刷を開始するボタン操作がなされたと判断すると、印刷装置１は、次にステップＳ２３０において、上記印刷可能枚数分にて取得した代表画像ファイルに基づく画像を日付情報（ファイル作成日時）とともにラベル面Ｍａの全面に印刷する。
【００６２】
図６及び図７は、上記代表画像印刷モードにおいて、例えばメディアＭのラベル面Ｍａを周方向に６つの領域（Ａ）〜（Ｆ）に等分割し、該分割した領域を順次印刷領域に設定してラベル印刷を実施した例を示す平面図である。
【００６３】
図６において、領域（Ａ）は初回の印刷時に、領域（Ｂ）は２回目の印刷時に、領域（Ｃ）は３回目の印刷時に、領域（Ｄ）は４回目の印刷時に、領域（Ｅ）は５回目の印刷時に、領域（Ｆ）は６回目の印刷時にそれぞれ印刷領域として設定される。
【００６４】
印刷装置１は、初回の印刷時には、印刷用トレイ２７に対するメディアＭのセット位置に対して、ラベル面Ｍａ上の領域（Ａ）を印刷領域として設定し、当該初回の書き込み時においてメディアＭに書き込まれた画像ファイルのうち代表画像ファイルとして設定されている画像Ｐ１とそのファイル作成日時Ｄ１とを同領域（Ａ）内に印刷する。また、このとき、印刷装置１は、位置決めマークＡＭを印刷する。
【００６５】
図７に示すように、位置決めマークＡＭは、ラベル面Ｍａ上の印刷可能領域に印刷される。この位置決めマークＡＭの大きさ、形状、及び印刷する位置については特には限定しないが、ユーザが識別可能とする大きさ及び形状にて、ラベル面Ｍａの外周端近傍位置に印刷するのが望ましい。印刷用トレイ２７には、このような位置決めマークＡＭとの間で位置合わせを行うための位置合わせ部２７ｂ（図６）が穴部２７ａの周辺位置に形成されている。
【００６６】
ユーザは、２回目の印刷時には、これら位置決めマークＡＭと位置合わせ部２７ｂとの位置を合わせて、メディアＭを印刷用トレイ２７にセットすることで、該印刷用トレイ２７に対するメディアＭのセット位置を位置決めすることができる。これにより、印刷装置１は、２回目の印刷時には、初回の印刷領域（領域（Ａ））と重複することなく、印刷用トレイ２７に対して位置決めされたメディアＭのセット位置に対して、ラベル面Ｍａ上の領域（Ｂ）を印刷領域として設定し、当該２回目の書き込み時においてメディアＭに書き込まれた画像ファイルのうち代表画像ファイルとして設定されている画像Ｐ２とそのファイル作成日時Ｄ２とを同領域（Ｂ）内に印刷する。
【００６７】
以下同様に、印刷装置１は、それ以降の印刷時においては、印刷用トレイ２７に対して位置決めされたメディアＭのセット位置に対して、印刷領域を領域（Ｃ），領域（Ｄ），領域（Ｅ），領域（Ｆ）の順に変更することで、書き込み動作毎に印刷領域を周方向にずらしながらラベル印刷を行う。
【００６８】
図８は、全面印刷モードにおけるラベル印刷例を示す平面図である。
同図に示すように、メディアＭのラベル面Ｍａには、１０枚（印刷可能枚数）の画像Ｐ１０〜Ｐ１９と、バックアップ日時Ｄ１１（日付情報）とが印刷されている。画像Ｐ１０〜Ｐ１９は、先頭ディレクトリから各ディレクトリに設定されている代表画像ファイルが順次取得されて印刷されたものであり、それらは全て一定の画像サイズに縮尺されて印刷されている。なお、ラベル面Ｍａ上における各画像Ｐ１０〜Ｐ１９のレイアウトは、これに限られるものではなく、例えば、ラベル面Ｍａに対して各画像Ｐ１０〜Ｐ１９が放射状にレイアウトされたものでもよい。
【００６９】
以上記述したように、本実施の形態によれば、以下の効果を奏する。
（１）メディアＭへの画像ファイルの書き込み後に、当該書き込まれた画像ファイルを少なくとも１つ取得して、ラベル面Ｍａに画像を印刷するようにした。これにより、ユーザは、書き込み内容についてラベル面Ｍａに印刷するデータを手作業で作成せずともよくなり、メディアＭへの書き込み内容を把握することができるラベル印刷を好適に行うことができる。
【００７０】
（２）メタファイル５３に記述された代表ファイル情報５６を読み出し、各ディレクトリの代表画像ファイルに基づく画像をラベル面Ｍａに印刷するようにした。この代表画像ファイルとしては、書き込み時にユーザが予め指定した画像ファイル、もしくは、各ディレクトリの先頭に書き込まれている画像ファイルが設定される。これにより、メディアＭへの書き込み内容をユーザが好適に把握できる画像を印刷することができる。
【００７１】
（３）ラベル面Ｍａの全領域（全面）に印刷可能な枚数分にて画像を印刷する全面印刷モードと、ラベル面Ｍａを領域分割し、メディアＭへの書き込み毎に印刷領域を順次変更してその時々の書き込み時に対応した画像を印刷する代表画像印刷モードと、を選択的に実行可能とした。これにより、全面印刷モードでは、書き込み内容に関する画像をラベル面Ｍａの全面を有効利用して印刷することができる。また、代表画像印刷モードでは、同一メディアＭに対する複数回の書き込み内容にそれぞれ対応した画像を、ラベル面Ｍａ上の互いに異なる領域に印刷することができる。
【００７２】
（４）代表画像印刷モードにおける初回の印刷時には、印刷用トレイ２７に対するメディアＭのセット位置を位置決めする位置決めマークＡＭを印刷するようにした。これにより、同印刷モードにおける２回目以降の印刷時には、メディアＭのセット位置を位置決めした状態でラベル印刷を好適に行うことができる。
【００７３】
（５）ラベル面Ｍａには、メディアＭに書き込んだ画像ファイルに基づく画像とともに、当該画像ファイルの作成日時（画像の撮影日時）や、メディアＭへの書込日時（バックアップ日時）を更に印刷するようにした。これにより、書き込み内容をより好適に把握することが可能となる。
【００７４】
なお、上記実施の形態では、以下の態様に変更した変形例を採用してもよい。
（変形例１）ラベル印刷時にメディアＭから取得する画像ファイルとしては、必ずしも各ディレクトリに関連付けて記憶（メタファイル５３に記述）された代表画像ファイルとする必要はない。メディアＭに対して書き込んだ先頭の画像ファイルから１以上取得するようにしてもよい。
【００７５】
（変形例２）ラベル印刷時における印刷モードとしては、全面印刷モードのみ、或いは代表画像印刷モードのみとしてもよい。
（変形例３）代表画像印刷モードでは、ラベル面Ｍａを周方向に等分割することに必ずしも限定されない。ユーザの任意の領域に分割してもよい。また、ラベル面Ｍａを分割する態様としては、例えば、メディアＭの記憶領域に対して画像ファイルを書き込んだ書き込み領域の割合に応じてラベル面Ｍａを分割し、この領域を印刷領域としてラベル印刷を行うようにしてもよい。このようにすれば、ラベル面Ｍａに印刷された領域から、メディアＭの記憶領域に対する書き込み領域の割合を知ることができる。
【００７６】
（変形例４）代表画像印刷モードにおける初回の印刷時に位置決めマークＡＭを印刷することに限定されない。２回目以降の印刷時において、ラベル面Ｍａの印刷結果を元に、印刷用トレイ２７に対するメディアＭのセット位置をユーザが各自位置決めするようにしてもよい。
【００７７】
（変形例５）日付情報を印刷することに限定されない。少なくとも画像が１以上印刷されるものであれば足りる。
（変形例６）メディアＭに書き込みを行うドライブ装置３６を印刷装置１内部に備えたが、印刷装置１に接続した外部のドライブ装置（外部装置２５）により書き込みを行うようにしても勿論よい。
【００７８】
（変形例７）ドライブ装置３６のドライブトレイ（図示略）から印刷用トレイ２７への移動は自動で行うようにしてもよい。こうすれば、書き込み終了後に自動でラベル印刷を実施させることができる。
【００７９】
（変形例８）メディアＭに画像ファイルを書き込む処理としてはバックアップ処理のみに限定されない。スキャナ機能によりスキャンして取り込んだ画像データをメディアＭに書き込むといった場合にも、その書き込み内容の画像についてラベル面Ｍａに印刷するといった態様にも本発明は適用することができる。
【００８０】
（変形例９）代表画像印刷モードでは、図７に示すように、画像ファイルの書き込み毎にそれぞれに対応する番号（図中、[1]，[2]，…にて示す）をラベル面Ｍａに印刷し、この番号を、いわゆるオーダーシート印刷を行う場合においてユーザが印刷画像を選択する際に指定する番号として利用するようにしてもよい。こうすれば、より付加価値の高いラベル印刷を行うことができる。
【００８１】
（変形例１０）印刷装置１は、図１に示す複合型プリンタに限定されない。
（変形例１１）その他上記実施の形態、及び上記各変形例で述べた構成における設計的事項は、本発明の技術的思想の範囲内において適宜変更することができる。
【図面の簡単な説明】
【００８２】
【図１】一実施の形態に係る印刷装置を示す斜視図。
【図２】印刷装置の電気的構成を示すブロック図。
【図３】ラベル印刷処理を示すフローチャート。
【図４】ディレクトリの構成例を示す概念図。
【図５】メタファイルの記述例を示す概念図。
【図６】代表画像印刷モードにおけるラベル面の領域分割例を示す平面図。
【図７】代表画像印刷モードにおけるラベル印刷例を示す平面図。
【図８】全面印刷モードにおけるラベル印刷例を示す平面図。
【符号の説明】
【００８３】
１：印刷装置、２：スキャナ部、３：プリンタ部、４：操作パネル部、１１：操作部、１２：表示部、１３：ディスプレイ、２７：印刷用トレイ、２７ａ：穴部、２７ｂ：位置決め部、３１：中央制御部、３２：ＲＯＭ、３３：ＲＡＭ、３４：印刷エンジン、３５：スキャナ処理部、３６：ドライブ装置、３９：操作パネル制御部、５１，５２：ディレクトリ、５１ａ，５１ｂ，５１ｃ，５２ａ，５２ｂ，５２ｃ：画像ファイル、５３：メタファイル、５５：ディレクトリ情報、５６：代表ファイル情報、ＡＭ：位置決めマーク、Ｍ：メディア、Ｍａ：ラベル面、Ｐ１，Ｐ２，Ｐ１０〜Ｐ１９：画像、Ｄ１，Ｄ２：ファイル作成日時、Ｄ１１：バックアップ日時。
【図１】
2006272789.tif 000003
【図２】
2006272789.tif 000004
【図３】
2006272789.tif 000005
【図４】
2006272789.tif 000006
【図５】
2006272789.tif 000007
【図６】
2006272789.tif 000008
【図７】
2006272789.tif 000009
【図８】
2006272789.tif 000010